Podtech/llm-jp-corpus-v4-ja_patent huggingface dataset:
(57)【要約】【課題】構造が簡単で、製造コストが安く、また環境汚染と騒音を生じない太陽エネルギー発電装置を提供する。【解決手段】透明隔絶層１０は、錘状の透明なケースであり、上端は比較的狭く底端は比較的広い。ケースの上端には通孔１１が設けられ、ケース内部の空間と外界が隔てられている。吸熱層２０は、透明隔絶層１０の内部に設けられ、太陽に照らされている間、熱エネルギーを吸収することができる。回転部品３０は、透明隔絶層１０の上端の通孔１１部分に設けられ、気流が通過する時に気流により動かされ回転し、回転動力を出力する。【選択図】　　　図１
0003098195.tif 000002
【実用新案登録請求の範囲】
【請求項１】
錘状の透明なケースであり、上端は比較的狭く底端は比較的広く、上端には通孔が設けられ、内部の空間と外界とを隔てている透明隔絶層と、
該透明隔絶層の内部に設けられ、太陽に照らされている時、熱エネルギーを吸収可能な吸熱層と、
該透明隔絶層の上端の通孔部分に設けられ、気流が通過する時に気流により動かされ回転し、回転動力を出力する回転部品と、
を備えることを特徴とする太陽エネルギー発電装置。
【請求項２】
該吸熱層は金属板から構成されていることを特徴とする請求項１記載の太陽エネルギー発電装置。
【請求項３】
該吸熱層は該透明隔絶層の内面を黒色の塗料で塗って構成されていることを特徴とする請求項１記載の太陽エネルギー発電装置。
【請求項４】
駆動部品はタービンであることを特徴とする請求項１記載の太陽エネルギー発電装置。
【考案の詳細な説明】
【０００１】
【考案の属する技術分野】
本考案は発電装置に関し、特に太陽エネルギー発電装置に関する。
【０００２】
【従来の技術】
時代の進歩にともない、社会の各分野で電力に対する需要が日増しに高まっており、各方面の専門家や学者も、効率がよく汚染の無い電力供給をするために積極的に努力し研究しているが、多くの電力供給方法の中で、太陽エネルギーを利用する発電は、無騒音で、汚染性が低く、かつ環境保護概念に合致した良い選択である。
【０００３】
【考案が解決しようとする課題】
本考案の目的は、構造が簡単で、製造コストが安く、また環境汚染と騒音を生じない太陽エネルギー発電装置を提供することである。
【０００４】
【課題を解決するための手段】
上述の目的を達成するために、本考案が提供する太陽エネルギー発電装置は、以下の内容を含む。透明隔絶層、錘状の透明なケースであり、上端は比較的狭く底端は比較的広い。また上端には通孔が設けられ、該ケース内部の空間と外界は隔てられている。吸熱層、該透明隔絶層の内部に設けられ、太陽に照らされている時、熱エネルギーを吸収できる。タービン、該透明隔絶層の上端の通孔部分に設けられ、気流が通過する時に気流により動かされ回転し、回転動力を出力する。
【０００５】
【考案の実施の形態】
図面をご参照いただきたい。本考案の実施例による太陽エネルギー発電装置は以下の内容を含む。
透明隔絶層１０は、透明な錘状ケースであり、該ケースの上端は比較的狭く底端は比較的広い。また該ケースの上端には通孔１１が設けられ、該ケース内部の空間と外界は隔てられている。該透明隔絶層の底部には若干の吸気孔１２が設けられている。
【０００６】
吸熱層２０は、該透明隔絶層の内部に設けられ、太陽に照らされている時、熱エネルギーを吸収できる。該吸熱層は黒色の金属板であってもよいし、あるいは直接該透明隔絶層の内面を黒色の塗料で塗って構成してもよい。形状は該透明隔絶層と等しく、ただサイズがやや小さい。該吸熱層の上部と底部はともに開通の状態であり、気体が流通しやすくなっている。
【０００７】
回転部品３０は、該透明隔絶層の上端の通孔部分に設けられ、気流が通過する時に気流により動かされ回転し、回転動力を出力する。本実施例中ではタービンであり、該タービンの回転時の動力は発電機システムと連結して（図中非表示）、電力を外部に供給するのに用いることができる。
【０００８】
上述の構造により、本実施例を実際に使用した時の状態は以下の通りである。本装置を平面上に立てて置き、かつ屋上、空き地あるいは砂漠地区などの開放空間に放置した時、該吸熱層２０は黒色の物質から構成されているので、太陽光の照射を受けた後、太陽の熱量を大量に吸収かつ蓄積し始め、同時に該吸熱層付近と内部の空気の気体が加熱される。自動車が太陽に照らされている時、車内の温度が非常に高くなるのと同じ原理である。この時、該透明隔絶層１０は該加熱された気体を該透明隔絶層に覆われた空間内に閉じ込め、該透明隔絶層に覆われた空間を外部と隔絶された温室にする。内部の空気の気体が一定時間加熱された後、気体自身の温度が高くなることにより、上昇を始め、熱対流の煙突効果を生み、該透明隔絶層内で自然に上昇気流を形成し、このような上昇気流が該透明隔絶層の壁面に沿って上昇し該タービンを通過する時、この気流は該タービンを動かし、回転動力を出力することができる。その後、空気は透明隔絶層の下方から流入し、上端から上昇し流出した空気を補う。このように、該吸熱層を利用して該透明隔絶層内の空気を加熱し、自然の上昇気流が絶えずタービンを動かし回転動力を出力することにより、簡単で、自然で、環境保護に合致し、かつ無騒音できれいな電力源を提供し、使用することができる。これは例えば工場の建物の冷房や扇風機の駆動等、簡単で電力消費量の低い使用状況において、非常に良い電力提供方式である。
【図面の簡単な説明】
【図１】本考案の実施例による太陽エネルギー発電装置を示す斜視図である。
【図２】本考案の実施例による太陽エネルギー発電装置の図１中の２−２で切断した断面図である。
【符号の説明】
１０　　透明隔絶層
１１　　通孔
１２　　吸気孔
２０　　吸熱層
３０　　回転部品
【図１】
0003098195.tif 000003
【図２】
0003098195.tif 000004
(57)【要約】【目的】より使いやすい介護ベットが求められていた。【構成】手動又は電動によりベットを縮めベット中央部において屈折、陥凹部を作る事が出来る介護ベット〔効果〕おしめの交換が容易く出来る。操作が簡単、そして堅牢安価である。【実用新案登録請求の範囲】
【請求項１】
手動又は電動によりベットを縮め、中央部より足方に向かって屈折陥凹部を作る事が出来るようになった介護用ベット。
【考案の詳細な説明】
【０００１】
〔産業上の利用分野〕
医療、衛生に関するものである。
【０００２】
古来ベットは夜眠る時に用いられているが、病人、老人は昼間も用いている。その生活に対する役割は大なるものがある。そこで安全で気持ちのよい様に又便利なように色々と工夫されて来た。木製、金属製等があり弾力性があり、堅牢な骨格を持ちふわふわした布団、マットを用い下に落ちないように回りに柵を設けたり、点滴瓶を取り付ける事が出来たり色々工夫されて来た。
【０００３】
〔本案が解決しようとする課題〕
今までにべっとは色々工夫されて来たが、寝たきりの病人のおしめ交換時には非常に不自由であった。即ちその交換する時病人の下半身を持ち上げて交換をするのであるが、介護する人の労力は大変なもので、腰を痛めたり、体を悪くする人が多く、大変な重労働であったのである。そこでこのおしめの交換をより簡単に、そしてより少ない労力で出来るように考えてみたのである。
【０００４】
元来おしめは臀部の皮膚とベットとの間に存在し、おしめ交換は、臀部の皮膚とベトとの空間を移動して行っており、その空間がより広いとおしめの移動がよりたやすく行われるのである。そこでその空間を広げる為に病人の臀部を持ち上げて交換をするのであるが、それに大変な労力を要するのである。
【０００５】
〔課題を解決する為の手段〕
おしめを交換するときに病人の臀部を持ち上げて、臀部とベットとの間の空間を広げて行うのであるが、その臀部を持ち上げないで、即ち臀部はそのままにしておいて、ベットを下に下げて空間を作るのである。ベトをより下げればより広い空間が出来るのである。そのようにして広い空間を作る事によりおむつの交換も楽になり、作業効果が上がる事になるのである。
【０００６】
その臀部が位置するベットの部分を下に押し下げて、おしめ交換が容易く行える為には、手動、又は電動によりべっとを少し縮めるのである。　即ちベットを足元から頭部の方向に向けて力を加えてベットを縮めてそのベットの中央部に下向きのしわが出来る様にするのである。そして足部方向からの力が効果的になるように、ベットの下の足部の所には車輪をつけて移動し易い様にするのである。
【０００７】
〔実施例〕
普通に寝ている病人のおしめを交換する場合、手動又は電動で足部の方から頭部の方向に向かって力を加えるのである。するとベットは関節の部分で曲がってかなり縮むのである。ベットの足部分の下端の車輪が回転して、その働きを助けるのである。そしてベットは中央付近で陥凹しておしめの交換が容易く行われるのである。
【０００８】
〔考案の効果〕
本考案のベットを利用すれば、おしめの交換が容易く行われ労力も少なくてすむ。操作も簡単で製作も簡単安価である。
【図面の簡単な説明】
【図１】斜位図
【図２】側面図
【図３】水平面図
ａ　　　　　　　マット
ｂ　　　　　　　ベット
ｃ　　　　　　　マットの屈折陥凹部
ｄ　　　　　　　ベットの屈折陥凹部
ｅ　　　　　　　関節部
ｆ　　　　　　　車輪
【図１】
0003098604.tif 000002
【図２】
0003098604.tif 000003
【図３】
0003098604.tif 000004
(57)【要約】【目的】寝たきり病人が排泄する大小便の処理作業を、能率的且つ衛生的に実施できるようにする。【構成】汚物吸入口（１）と吸入ホース（２）を備えた吸引タンク（３）と、洗浄ノズル（４）を備えた噴霧器（５）を積載した台車（Ｆ）からなると共に、該吸引タンク（３）には吸引器（Ｘ）の吸引ホース（Ｙ）が接続されてなる。【選択図】　　図１
0003098603.tif 000002
【実用新案登録請求の範囲】
【請求項１】
汚物吸入口（１）と吸入ホース（２）を備えた吸引タンク（３）と、洗浄ノズル（４）を備えた噴霧器（５）を積載した台車（Ｆ）からなると共に、該吸引タンク（３）には吸引器（Ｘ）の吸引ホース（Ｙ）が接続されてなる寝たきり病人用大小便器具。
【考案の詳細な説明】
【０００１】
【考案の属する技術分野】
本考案は、寝たきり病人がベッドに寝たままの姿勢で大小便を行える器具と装置に関するものである。
【０００２】
【従来の技術】
従来、寝たきり病人の排泄する大小便を取るためシ瓶や携帯便器などを陰部に当てがって処理している。また、あらかじめ紙オムツをはかせ、これを取り替えることによって処理している。
【０００３】
【考案が解決しようとする課題】
しかしながら、上述の作業は手間と時間がかかり介護する人の大きな負担となっている。また、大小便を取ったあとの清掃が不十分なため不潔になりがちとなり、病人本人の不快感が大きい。
【０００４】
そこで本考案は、介護する人の労力を大幅に軽減させ、病人本人の負担も少なく、且つ清潔な状態を保つことができるものである。更に、排泄された大小便の廃棄作業を極めて衛生的に処理できるものである。
【０００５】
【課題を解決するための手段】
ベッド（Ａ）のほぼ中央に開口部（Ｂ）を設け、且つこの開口部にヒンジ（Ｃ）及びレバー（Ｄ）によって開閉できる開閉シート（Ｅ）を備える。
一方、台車（Ｆ）上にラッパ状の汚物吸入口（１）と吸入ホース（２）を備えた吸引タンク（３）と、洗浄ノズル（４）を備えた噴霧器（５）が積載されている。また、該吸引タンクには吸引器（電気掃除機）（Ｘ）の吸引ホース（Ｙ）が接続されている。
【０００６】
【考案の実施の形態・実施例】
寝たきり病人（Ｇ）が大小便を行う際、介護者は台車（Ｆ）をベッド（Ａ）の側に移動させる。次いでレバー（Ｄ）を操作して開閉シート（Ｅ）を下方へ開く。
従って、寝たきり病人（Ｇ）の陰部が露出される。そこでこの陰部に向かって汚物吸入口（１）を当てがい前記吸引器（Ｘ）をスイッチオンする。よって吸引タンク（３）内は減圧状態となり、汚物吸入口（１）から排泄される大小便を強く吸引し、吸入ホース（２）を通じて吸引タンク（３）内に溜めることができる。また、排泄が終った時点で噴霧器（５）を作動させ、洗浄ノズル（４）によって汚れている陰部をきれいにすることができる。なお、溜ったタンク内の便は時々廃棄すればよい。
【０００７】
【考案の効果】
寝たきり病人の介護における大小便の排泄処理作業を、簡易且つ能率的に行えると共に、あと始末も極めて衛生的に実施できる便利にして有益な考案を提供するものである。
【図面の簡単な説明】
【図１】本考案の実施状態を示す概略側面図。
【図２】本考案ベッドの平面図。
【図３】本考案汚物吸入口及び洗浄ノズルの要部拡大斜視図。
【符号の説明】
１　　汚物吸入口
２　　吸入ホース
３　　吸引タンク
４　　洗浄ノズル
５　　噴霧器
Ａ　　ベッド
Ｂ　　開口部
Ｃ　　ヒンジ
Ｄ　　レバー
Ｅ　　開閉シート
Ｆ　　台車
Ｇ　　病人
Ｘ　　吸引器
Ｙ　　吸引ホース
【図１】
0003098603.tif 000003
【図２】
0003098603.tif 000004
【図３】
0003098603.tif 000005
(57)【要約】【課題】従来から市場に出ているリストコンパスは、金属の一体型バンドに装着出来ない不便さを有していた。そこでどのような時計バンドにも容易に装着出来るリストコンパスを提供する。【解決手段】リストコンパス本体のバンド装着部分に、開閉可能な填め合い装置を設けてなる技術的手段を構じる。【選択図】　図１
0003098601.tif 000002
【実用新案登録請求の範囲】
【請求項１】
方位コンパス（６）を装着可能な円筒形又は矩形の金属又はプラステイックの本体（１）と、該本体（１）の一部から連接された腕（２）を具備し、該腕（２）の先端に、本体（１）をバンドに装着固定するための開閉可能な填め合い装置を設けてなるリストコンパス。
【請求項２】
方位コンパス（６）を装着可能な円筒形又は矩形の金属又はプラステイックの本体（１）と、該本体（１）の一部から連接された腕（２）を具備し、該腕（２）の先端に、本体（１）に設置された填め合い用突起（３）を連接できるように穴（４）を設けてなるリストコンパス。
【請求項３】
方位コンパス（６）を装着可能な円筒形又は矩形の金属又はプラステイックの本体（１）と、該本体（１）の一部から連接された腕（２）を具備し、該腕（２）の先端に、本体（１）に設置された填め合い用穴（４）に結合できるように突起（３）を設けてなるリストコンパス。
【考案の詳細な説明】
【０００１】
【考案が解決しようとする課題】
従来、アウトドアー活動においては大型の方位コンパスを携行したり、ポケットコンパスを持参することが一般的である。しかし、これらスケール付き大型方位コンパスやポケットコンパスは持ち歩くのに邪魔になったり、いちいち収納してあるポケットから取り出し方位を確認する等の、不便さを有していた。
【０００２】
また従来から、時計バンドに装着するリストコンパスは市場に有ったが、金属の一体型バンドには装着出来ない等、バンドを選ばねばならない不便さを有していた。
【０００３】
【課題を解決するための手段】
上記課題を達成するために、本考案は、本体のバンド装着部分に開閉可能な填め合い装置を設けてなる技術的手段を講じたものである。
【０００４】
【実施例】
以下、本考案の実施例を図示例と共に説明する。図中１がリストコンパス本体である。この本体には、方位コンパス６が接着その他の方法で装着されている。
【０００５】
【考案の効果】
アウトドアーその他、あらゆる方面で利用されるリストコンパスを、取り付けるバンドの種類を選ばず、どのようなバンドにも容易に装着出来、いつでも方位を容易に観測できる、通常の使用はもとより、アクセサリーとしても楽しめるリストコンパスを提供できるものである。
【図面の簡単な説明】
【図１】本考案リストコンパスの一実施例を示す外観図である。
【図２】本考案リストコンパスの一実施例における、時計バンドに取り付けた場合の、概念図である。
【符号の説明】
１　リストコンパス本体
２　腕
３　填め合い用突起
４　填め合い用穴
６　方位コンパス
７　腕時計
８　時計バンド
【図１】
0003098601.tif 000003
【図２】
0003098601.tif 000004
(57)【要約】　　　（修正有）【課題】次亜塩素酸水などの有用な電解水を製造する装置において、持ち運びでき、水道設備が無くまた電源も確保できない場所でも使用可能で、安価で幅広く利用でき、使用しやすく、安全性の高い電解装置を提供する。【解決手段】電池９を電源とした電解槽が、陽極と陰極の間に隔膜を有しない無隔膜電解槽で、電極５、制御基板３、ＯＮ−ＯＦＦスィッチ８、および電池９を収納する容器から成り、該容器の内部に電解原液を収納し、該電解槽に収納された電解原液を電気分解し、電解生成物を該電解槽が浸漬されている原水に混合希釈することによって、電解水を生成する仕組みの電解水生成装置において、該電解槽の容器の上部に電解原液を該電解槽内部に注入するための蓋付の注入部１を備えていることを特徴とする、電解水生成装置。【選択図】　　図１
0003098605.tif 000002
【実用新案登録請求の範囲】
【請求項１】
電池を電源とした電解槽が、陽極と陰極の間に隔膜を有しない無隔膜電解槽で、電極、制御基板、ＯＮ−ＯＦＦスィッチ、および電池を収納する容器から成り、該容器の内部に電解原液を収納し、該電解槽に収納された電解原液を電気分解し、電解生成物を該電解槽が浸漬されている原水に混合希釈することによって、電解水を生成する仕組みの電解水生成装置において、該電解槽の容器の上部に電解原液を該電解槽内部に注入するための蓋付の注入部を備えていることを特徴とする、電解水生成装置
【請求項２】
請求項１記載の電解水生成装置の収納容器が電解槽部と制御基板、ＯＮ−ＯＦＦスィッチ、および電池と完全に分割収納となっている請求項１記載の電解水生成装置
【請求項３】
請求項１記載の電解水生成装置の制御基板、ＯＮ−ＯＦＦスィッチ、および電池の収納部が完全に防水構造と成っている請求項１記載の電解水生成装置
【考案の詳細な説明】
【０００１】
【考案の属する技術分野】
本考案塩素などのイオンを含有する溶液を電気分解し次亜塩素酸水のような有用溶液を調製する技術分野に属する
【０００２】
【従来の技術】
従来は特開２００２−３８２８９０の家庭用電源の１００Ｖ交流を電源として容器投入型電解水生成装置が存在する。
【０００３】
【考案が解決しようとする課題】
本容器投入型電解水生成装置で次亜塩素酸水のような有用溶液を調製するために家庭内に限らずどこでも調製することができる装置を提供することである。
【０００４】
【課題を解決するための手段】
本考案者は課題を解決するためにどこでも入手可能な電池を使用することによって屋外でも、また災害場所などで電気が無いところでも使用することができることとし、制御基板、ＯＮ−ＯＦＦスィッチ、および電池の収納部が完全に防水構造として課題を解決した。
【０００５】
【実施例】
図１に実地例を示すがこれは本考案の理解を助けるのが目的であり、本考案の範囲をこの例に限定する趣旨ではない。
【実施例１】
電解槽▲６▼に３％塩酸を２５ｍｌ注入した本装置を、原水２０リットルを貯留した水容器にスイッチ▲８▼を入りとし浸漬して電極間に６Ｖの電圧をかけ、平均２Ａの電流で１０分間電解した、得られた電解液はｐｈが５．５、有効塩素濃度が１３ｐｐｍであった。
【実施例２】
実施例１と同様に８回繰り返し電解を行った時点でのｐｈが５．５、有効塩素濃度が１１ｐｐｍであり繰り返しの電解でも使用可能である。また電池のみを交換すれば何回でも次亜塩素酸水を調製できる。
【０００６】
【考案の効果】
本考案による装置は極めて小型軽量であるため、水道設備の無い場所や、屋外、あるいは被災地などの電力が確保できない所などで次亜塩素酸水の有用な電解水を調製することが可能になり、そのような場所での衛生状態向上や福祉に大きな貢献が期待できる。また装置、ランニングコストとも極めて安価であるため幅広く利用でき、一般的な医療、福祉、レジャー、食品製造や家庭において衛生状態の向上に寄与する。
【図面の簡単な説明】
【図１】電池式容器投入型電解水生成装置
【符号の説明】
▲１▼　電解液注入部
▲２▼　電源端子
▲３▼　制御基板
▲４▼　投入、引上げ用リード
▲５▼　電極板
▲６▼　電解槽ケーシング
▲７▼　防水Ｏリング
▲８▼　スイッチ
▲９▼　電池
▲１０▼　防水ケーシング
【図１】
0003098605.tif 000003
(57)【要約】　　　（修正有）【課題】人体の呼吸器官周囲の空気をマイナスイオンにより直接浄化し、ただちに病原菌の伝染を防止することが可能な空気浄化帽を提供する。【解決手段】空気浄化帽は、キャップ本体１及びマイナスイオン製造装置２からなる。キャップ本体のバイザー１１の平面上に、くぼんだはめ込み槽があり、マイナスイオン製造装置をその中にはめ込んで固定するようになっている。このマイナスイオン装置は、ボックス２１の内部に高圧電気回路及び電池が収納されているか、ボックスの上部に太陽エネルギーを吸収する板２４を張り付けて使用する。電池あるいは太陽エネルギー吸収板が直流電源を電気回路板に供給し、高圧電気回路内部の放電極が、高圧放電によって大量のマイナスイオンを製造して、ボックスの底部から送出し、空気中に浮遊している病原菌に反応して分解する。【選択図】図１
0003098609.tif 000002
【実用新案登録請求の範囲】
【請求項１】
キャップ本体及びマイナスイオン製造装置からなり、
キャップ本体の前部のバイザーの平面上には、くぼんだはめ込み槽があって、マイナスイオン製造装置をはめ込んで固定するようになっていて、このマイナスイオン製造装置は、ボックス内部に、高圧電気回路及び電池が収納されて構成されるか、ボックスの上部に、太陽エネルギー吸収板を張り付けて構成されていて、電池あるいは太陽エネルギー吸収板から直流高圧電気回路板に電源が供給され、高圧電気回路内部で放電極が高圧放電によって大量のマイナスイオンを放出し、ボックスの底部から送出して、空気中に浮遊する病原菌に反応して分解し、人体呼吸器周囲の空気を直接浄化するという特長を持つ空気浄化帽。
【請求項２】
高圧電気回路内部は、高圧振動回路、高圧変圧器、及び、整流倍圧を経て、高圧パルス電流が放電極に送られ、放電極から高圧放電で大量のマイナスイオンを放出するという特長を持つ、請求項１に記載の空気浄化帽。
【考案の詳細な説明】
【０００１】
【考案の属する技術分野】
本考案は空気浄化帽に関する。本考案の空気浄化帽は、マイナスイオン製造装置が結合していて、人体周囲の空気を即座に浄化するという特長を持つ。
【０００２】
【従来の技術及び課題】
商工業社会の現在、都会には人口が集中し、汚染源及び空気を媒介とするウィルスが、随時回りの環境を取り巻いている。したがって、現代人は、アレルギー、喘息、頭痛、流行性の感染症、その他さまざまな原因で、体の不調を訴えるケースが多い。現在、流行しているＳＡＲＳウィルスも例外ではない。即座に人体の周囲に浮遊している病原菌や浮遊微粒子を浄化しなければ、これらの浮遊物は空気を媒介として、人体に進入して我々の健康を脅かすことになる。
【０００３】
【課題を解決するための手段】
本考案は空気浄化帽に関する。本考案の空気浄化帽は、キャップ本体及びマイナスイオン製造装置からなる。キャップ本体のバイザーの平面上に、くぼんだはめ込み槽があり、マイナスイオン製造装置をその中にはめ込んで固定するようになっている。このマイナスイオン装置は、ボックスの内部に高圧電気回路及び電池が収納されているか、ボックスの上部に太陽エネルギーを吸収する板を張り付けて使用する。電池あるいは太陽エネルギー吸収板が直流電源を電気回路板に供給し、高圧電気回路内部の放電極が、高圧放電によって大量のマイナスイオンを製造して、ボックスの底部から送出し、空気中に浮遊している病原菌に反応して分解する。人体の呼吸器官周囲の空気を直接浄化するので、ただちに病原菌の伝染を防止することが可能である。
【０００４】
【考案の実施の形態】
図１及び図２を参照いただきたい。本考案の空気浄化帽は、キャップ本体１及びマイナスイオン製造装置２からなる。そのうち、キャップ本体１の前部のバイザー１１の平面上には、くぼんだはめ込み槽１２があって、マイナスイオン製造装置２をはめ込んで固定するようになっている。マイナスイオン製造装置２は、ボックス２１内部に、高圧電気回路２２及び電池２３が収納されて構成されるか、ボックス２１の上部に、太陽エネルギー吸収板２４を張り付けて構成されている。
【０００５】
上述の高圧電気回路２２は電池２３あるいは太陽エネルギー吸収板２４から直流電源（１．５Ｖ、３Ｖあるいは９Ｖ）が供給される。電池２３がなくなると、ボックス２１の上ふた２１１を開けて新しい電池２３と交換する（図３を参照いただきたい）。あるいは、電池２３を交換せず、直接キャップ本体１の外部にある太陽エネルギー吸収板２４を日光に当てて、電池２３の代わりに直流電源を供給することも可能である。したがって、マイナスイオン製造装置２に供給する電源は途切れる心配がないため、マイナスイオン製造装置２はマイナスイオンを製造して、送出し続ける。このように、本考案のキャップ１をかぶると、マイナスイオン製造装置２を随時身に付けていることになる。マイナスイオンを製造することにより、人体の呼吸器周囲の空気を直接浄化するので、極めて実用価値が高い上に、斬新で進歩的である。
【０００６】
本考案の空気浄化帽を実施する際は、電池２３あるいはキャップ１外部にあって、日光を吸収する太陽エネルギー吸収板２４によって、直流電源（１．５Ｖ、３Ｖあるいは９Ｖ）を高圧電気回路２２供給する。高圧電気回路２２内部は、高圧振動回路２２１、高圧変圧器２２２、及び、整流倍圧２２３を経て、高圧パルス電流が放電極２２４（図４を参照いただきたい）に送られ、放電極２２４から高圧放電で大量のマイナスイオンを放出する。これらのマイナスイオンは、ボックス２１の底部から送出されて（図５を参照いただきたい）、空気中の浮遊病原菌に反応して分解して、人体呼吸器周囲の空気を直接浄化するので、効果的且つ即座にウィルスの伝染を抑制することが可能である。
【０００７】
【考案の効果】
本考案の空気浄化帽は、空気中の汚染源及び空気を媒介とするウィルスが人体に進入して健康を害するのを解決するという特長を持つ。本考案の空気浄化帽は、常に携帯することが可能で、マイナスイオンを製造することができる。マイナスイオンは、人体の呼吸器官周囲に浮遊している汚染源を直接浄化して、病原菌の伝染をただちに抑制して、健康を保つのに役立つ。
【図面の簡単な説明】
【図１】本考案の空気浄化帽の外観見取り図である。
【図２】本考案の空気浄化帽の関連パーツの組み立て関係分解図である。
【図３】本考案の空気浄化帽の、マイナスイオン製造装置内部の関連パーツの見取り図である。
【図４】本考案の空気浄化帽のマイナスイオン製造装置の高圧電気回路板が作動して、高圧パルス電流を放出する流れを示したフローチャートである。
【図５】本考案の空気浄化帽の実施例図である。
【符号の説明】
１　　　　　　　キャップ本体
１１　　　バイザー
１２　　　はめ込み槽
２　　　　マイナスイオン製造装置
２１　　　ボックス
２１１　　上ふた
２２　　　高圧電気回路板
２２１　　高圧振動回路
２２２　　高圧変圧器
２２３　　整流倍圧
２２４　　放電極
２３　　　電池
２４　　　太陽エネルギー吸収板
【図１】
0003098609.tif 000003
【図２】
0003098609.tif 000004
【図３】
0003098609.tif 000005
【図４】
0003098609.tif 000006
【図５】
0003098609.tif 000007
(57)【要約】【課題】コップの内面を使用しないでコップを下向きに吊るすこと。【解決手段】コップに付いている輪の形をした手持ち部を利用して、三角の形をした本体にコップを下向きに安定した状態で吊るすことで、コップの内面を使用しないコップスタンドであるため、水切れが良く衛生的である。【選択図】　　　　　図１
0003098602.tif 000002
【実用新案登録請求の範囲】
【請求項１】
三角の形をした本体（１）に、コップに付いている輪の形をした手持ち部を入れ、コップを下向きに吊るして置くコップスタンド。
【考案の詳細な説明】
【０００１】
【考案の属する技術分野】
本考案は、コップに付いている輪の形をした手持ち部を利用して、コップを下向きに安定した状態で吊るして置くコップスタンドに関するものである。
【０００２】
【従来の技術】
コップを下向きにして置くには、コップの内部を使用して下向きにしたコップスタンドである。
【０００３】
コップスタンドの一部がコップの内面に接する為、コップスタンドを常に清潔にしておかなければならない、コップの内面を使用しないコップスタンドは提供されていない。
【０００４】
【考案が解決しようとする課題】
本考案は、以上のような従来の問題点を解決し、コップの内面を使用しないことを解決の課題とするものである。
【０００５】
【課題を解決するための手段】
本考案は、コップに付いている輪の形をした手持ち部を利用して、コップを下向きに吊るすために、縦壁に対し、三角の形をした本体（１）が、上向きになるように固定し、コップの手持ち部が簡単に入るように、本体（１）の先端（２）に丸みをもたせたコップスタンドに、コップを下向きに吊るすことで、コップの内面を使用しないで下向きにして置くことが出来るので衛生的である。
【０００６】
【実施例】
以下、本考案の実施例を添付図を参照しながら詳細に説明する。
図１はコップの手持ち部を、コップを下向きに安定した状態に吊るす三角の形をした本体（１）で、コップの手持ち部が楽に入るように、先端（２）に丸みを付け、三角の形をした本体（１）が少し上向きになるようにしたコップスタンドである、本体（１）を縦壁に固定するための補助板（２）を取付けた状態の実施例を示す側面図、図２は図１の平面図、図３は図１の正面図である。
【０００７】
図１の補助板（２）は、本体（１）を洗面化粧台のコップ置き場の縦壁に固定するために使用した補助板である。
【０００８】
【考案の効果】
本考案は、以上説明したように構成されているので、下記に記載されるような効果を要する。
【０００９】
コップの内面を使わずに、手持ち部で下向きに吊るすため、水切れが良く、衛生に良い。
【００１０】
コップを吊るす本体が三角の形をしているので、コップの手持ち部の小さいものから大きいものまで、安定した状態でコップを下向きに吊るすことが出来る。
【図面の簡単な説明】
【図１】コップスタンドの本体に補助板を付けた実施例を示す側面図である。
【図２】コップスタンドの本体に補助板を付けた実施例を示す平面図である。
【図３】コップスタンドの本体に補助板を付けた実施例を示す正面図である。
【符号の説明】
１　本体
２　先端
３　補助板
【図１】
0003098602.tif 000003
【図２】
0003098602.tif 000004
【図３】
0003098602.tif 000005
(57)【要約】【課題】本考案は炒められる材料が調理用ヘラ本体への密着を防ぎ、隈無く火を通すために時間的、労働的負担を軽減するものである。【解決手段】本考案は調理用ヘラの先端部分を螺旋形にし、材料が一定方向に動くのを防ぎ且つ、ヘラ本体の両面には異なる形の窪みをつけているので材料がヘラ本体に密着することなく隈無く加熱される。従って、労力も少なく時間も短縮される。【選択図】　　図１
0003098655.tif 000002
【実用新案登録請求の範囲】
【請求項１】
0003098655.tif 000003
形の窪みをつけている。以上のように構成された調理用ヘラである。
【考案の詳細な説明】
【０００１】
【考案の属する技術分野】
一般家庭や料理店等、幅広く活用できる調理用ヘラである。
【０００２】
【従来の技術】
従来の調理用ヘラは、玉葱やひき肉等を炒める際にヘラ本体に材料がつきやすいので、短時間で隈無く加熱するには大変な労力を必要とした。
【０００３】
【考案が解決しようとする課題】
材料を炒める際に、ヘラ本体に材料が密着しやすいことは隈無く加熱するには大きな労力と時間が必要とされるので、時間的・労働的負担を少なくするためにこの調理用ヘラで、前述の欠点を解決するものである。
【０００４】
【課題を解決するための手段】
本考案はヘラの先端部分が螺旋形になっており、炒める材料が一方向に動くことを防いでいる。又、ヘラ本体の両面には形の異なる窪みをつけているので炒められる材料がヘラ本体に密着することがないので、隈無く加熱され時間も労力も少なくてすむ。
【０００５】
【実施例】
玉葱炒め、各種野菜炒め、ひき肉炒め、肉炒め。
【０００６】
【考案の効果】
本考案は炒める材料がヘラ本体への密着を防ぐので玉葱やひき肉等に隈無く火が通り、食品衛生上の面からも安全であり、又、時間が短縮されるので労力も少なくてすむ。
【図面の簡単な説明】
【図１】本考案の表面図である
【図２】本考案の裏面図である
【符号の説明】
１．ヘラ本体
２．螺旋形のヘラ先
３．窪み
【図１】
0003098655.tif 000004
【図２】
0003098655.tif 000005
(57)【要約】　　　（修正有）【課題】虫除け網に二酸化チタンと紫外線との光触媒反応を発生させ、その酸化作用で、防汚、殺菌、大気汚染防止などをする網、及び網戸を提供する。【解決手段】アルミサッシなどの建具１に虫除け網２を張り、網の部分に二酸化チタン塗料を塗布、及び網を製造する原料の樹脂に二酸化チタンを混入して製造した虫除け網。【選択図】　図１
0003098657.tif 000002
【実用新案登録請求の範囲】
【請求項１】
アルミサッシなどの建具（１）に虫除け網（２）を張り、網の部分に二酸化チタン塗料（３）を塗布、及び網を製造する原料の樹脂に二酸化チタン（７）を混入して製造した
虫除け網。
【考案の詳細な説明】
【０００１】
【考案の属する技術分野】
この考案は、虫除け網に二酸化チタンと紫外線との光触媒反応を発生させ、その酸化作用で、防汚、殺菌、大気汚染防止などをする網、及び網戸に関するものである。
【０００２】
【従来の技術】
従来、虫除け網戸の清掃は、ブラシなどを使って洗剤で洗い、手作業でおこなうか、新品に張り替えるしかなかった。
【０００３】
【発明が解決しようとする課題】
そのために、次のような欠点があった。
（イ）ブラシなどで洗うと、網を破いてしまったり、編み目を壊してしまうことがあり、網の張り替えと、洗うための場所、洗剤が必要で、河川、大気汚染につながる。
（ロ）また、網の片面を洗うと反対側に汚れが移り、清掃に時間がかかった。
（ハ）網が汚れると室内外からの美観が悪く、カビなどで不衛生であった。
【０００４】
【課題を解決するための手段】
アルミサッシなどの建具（１）に張った虫除け網（２）に二酸化チタンの塗料（３）を塗布する。
または、網の原料の樹脂に二酸化チタン（７）を混入して塗布と同様の性能を得るために、二酸化チタン入りの糸を作り、虫除け網を作る。
【０００５】
【発明実施の形態】
以下、本発明の実施の形態について説明する。
（イ）　アルミサッシなどの建具（１）に張った虫除け網（２）に二酸化チタンの塗料（３）を、スプレーガン（５）、塗布ローラー（６）で網の裏表に塗り、１〜２時間かけて、室温で塗料を乾燥させる。
（ロ）　すでに、網の樹脂製糸（８）に二酸化チタン（６）を練り混んだもの、または、二酸化チタン塗料（３）を塗布した網をアルミサッシなどの建具（１）に張る。
【０００６】
本発明は以上のような構造で、塗料による美観の変化がなく、安全で使用方法なども従来と変わるところがないものである。
【０００７】
【発明の効果】
酸化された汚染物質は、風化された状態になり、風や雨で払拭されてしまい、清掃と長期間張り替えが不要で、殺菌効果があり、美観が損なわれない。
また、一部、汚れが取れない場合でも、ホースなどで水を掛ければ、簡単に汚れを落とすことが出来、従来の様な洗剤による清掃で、広い場所と時間を必要としない。
以上のような理由で、無駄に資源を使うことなく、河川の汚染防止などに寄与する。
従来、不要になった網を焼却した場合は、大気汚染の原因にもなる有害物質を排出す恐れがあったが、二酸化チタンを付着、混入した網は、焼却した場合でも、二酸化チタンの働きで、焼却時発生する有害物質を、ほぼ無毒化する事が出来る。
従って、経済的負担の軽減と資源の無駄を省き、公害を少なくし、多くの労力を必要とせず、清掃のためのランニングコストがほとんど不要な網戸である。
【図面の簡単な説明】
【図１】本発明の斜視図
【図２】本発明の塗布状態を示す説明図
【図３】本発明の網の樹脂製糸の断面を示す説明図
【符号の説明】
１　アルミサッシ部または木製建具部
２　虫除け網
３　二酸化チタン塗料
４　樹脂製網
５　スプレーガン
６　塗布ローラー
７　二酸化チタン
８　網の樹脂製糸
【図１】
0003098657.tif 000003
【図２】
0003098657.tif 000004
【図３】
0003098657.tif 000005
(57)【要約】【課題】カジュアルなスタイルにマッチするネクタイを提供すること。【解決手段】本考案は表地にデニム素材を用い、大剣部の側面にラベルを縫い付けている、また大剣部と小剣部の幅に大きな差が無く、表地の中継ぎ部分が両端から等距離にあり、且つ両端の剣先がアシンメトリーな形状で、結ぶときの小剣部の長さにより、使用時の形状変化を可能とすることを特徴とするネクタイ。【選択図】　図１
0003098652.tif 000002
【実用新案登録請求の範囲】
【請求項１】
表地にデニム素材を用い、大剣部の側面にラベルを縫い付けていることを特徴とするネクタイ。
【請求項２】
大剣部と小剣部の幅に大きな差が無く、表地の中継ぎ部分が両端から等距離にあることを特徴とする請求項１に記載のネクタイ。
【請求項３】
両端の剣先がアシンメトリーな形状で、結ぶときの小剣部の長さにより、使用時の形状変化を可能とすることを特徴とする請求項１に記載のネクタイ。
【考案の詳細な説明】
【０００１】
【考案の属する技術分野】
本考案はカジュアルなスタイルにマッチするネクタイに関するものである。
【０００２】
【従来の技術】
ネクタイはワイシャツとスーツにマッチしたファッションアイテムであり、オープンシャツや襟の無いシャツにネクタイを締めることは少ない。ロープタイ等も存在するが、若年者層においては使用している者をあまり見かけない。またジーンズにスニーカーといったラフなスタイルにおいても使用されにくいが現状である。
【０００３】
【考案が解決しようとする課題】
カジュアルなスタイルに使用しても違和感のないネクタイが少ないので、ネクタイを使用したファッションコーディネートのバリエーションが限定されている。従ってデニム素材を用い、従来のネクタイとは異なる形状のネクタイを提供することにより、前途の問題点を解決しようとするものである。
【０００４】
【課題を解決するための手段】
本考案は表地にデニム素材を用い、大剣部の側面にラベルを縫い付けている、また大剣部と小剣部の幅に大きな差が無く、表地の中継ぎ部分が両端から等距離にあり、且つ両端の剣先がアシンメトリーな形状で、結ぶときの小剣部の長さにより、使用時の形状変化を可能とすることで問題点を解決している。
【０００５】
【実施例】
以下、図面を参考にしながら本考案を説明する。
本考案は表地にバイアス取りしたデニム地を３枚縫い合わせたものである。図１及び図２は中継ぎ部分Ｂがネクタイの両端から等距離にくるように長さ１と長さ２が等しいことを示すものである。
【０００６】
図４は剣先がアシンメトリーな形状であることを示し、図５のように結ぶときの小剣部Ｃの長さを調節することにより、使用時のフレキシブルなデザインを可能としている。また剣先の裏地にはシーチングを用いている。
【０００７】
ファッション性を高めるために、大剣部Ａの側面にタブと呼ばれるラベルＤを縫い付けてある。
【０００８】
【考案の効果】
本考案のネクタイはカジュアルなスタイルでのネクタイの使用頻度を上げ、多様なファッションコーディネートを可能にする。
【図面の簡単な説明】
【図１】図１は本考案の正面図である。
【図２】図２は本考案の背面図である。
【図３】図３は本考案の右側面図である。
【図４】図４は本考案の大剣部Ａを示す拡大図である。
【図５】図５は本考案の使用状態を示す図である。
【図６】図６は本考案の使用例を示す図である。
【符号の説明】
Ａ　大剣部
Ｂ　中継ぎ部分
Ｃ　小剣部
Ｄ　ラベル
１　中心から小剣部の先端までの長さ
２　中心から大剣部の先端までの長さ
【図１】
0003098652.tif 000003
【図２】
0003098652.tif 000004
【図３】
0003098652.tif 000005
【図４】
0003098652.tif 000006
【図５】
0003098652.tif 000007
【図６】
0003098652.tif 000008
(57)【要約】　　　（修正有）【課題】夜間における自転車などが側面から光を受けたとき、その光を反射して自転車の存在を認識させ、その安全を保障する。【解決手段】従来の自転車は夜間の走行では前後方向には、前照灯や後尾反射器を備えているが、側面の反射器が無いに等しく、これを改善して車輪のリム側面２を利用して反射テープ３を添付して車輪の形に反射させる。【選択図】　　図１
0003098654.tif 000002
【実用新案登録請求の範囲】
【請求項１】
自転車等二輪車のリムの側面に反射テープを貼り、夜間に走行しているとき、側面から光を受けると、テープが反射して自転車のホイルを浮かび上がらせ、自転車の存在を認識させ、これによって夜間の事故を防ぐ事を目的とする反射テープ付き二輪車用リム。
【考案の詳細な説明】
【０００１】
【考案の属する技術分野】
本考案は自転車等の車輪に使用するリムの側面に、他車の照射する光を受けると反射する反射テープを貼付けて、夜間の自転車での通行をより安全にすることを期待するものである。
【０００２】
【従来の技術】
従来、夜間自転車で通行する場合には、進行する縦方向には前に前照灯があり、後方には尾灯を代用する赤色反射器がリァフェンダーに取り付けられており、近年のものにはペダルにも反射板が付けられて、効果的にその存在を感じさせられるが、側面には効果的な反射器は取り付けられたものがなく、危険であった。
【０００３】
【考案が解決しようとする課題】
上記のような状況に対して、本考案は前後の車輪のリムの側面に、その幅を一杯に使って反射テープを貼付け、側面からの光をリム全体に受けて反射させるので、反射光のありかたとしては印象が強く、これによってその課題に対応し、その色も黄、赤、白色等の警戒色として訴求力の強いものを使用すれば、より効果的に課題を解決することが出来るものである。
【０００４】
【課題を解決するための手段】
本考案は、自転車などの夜間走行に際して、その安全性を高めることを目的とすると共に、昼夜間を問わずそのデザイン性を高める効果があるが、その取り付け作業も簡便で、裏面に強い接着剤を塗布した反射テープをそれぞれの側面の径に応じた円形に適宜分割して作成しておき、これをそのリムの側面に正確に貼付すれば容易にこれを解決する手段となるものである。
【０００５】
【考案の効果】
本考案は上述の通り構造や製作も簡単で、リムに貼付するに際しては、そのリムの径に適合するものを正確に貼付することが必要で、それによつて夜間に走行するときは、側面からの光を受ければきれいに輪の形に反射して、そこに自転車が存在することを認識させる効果を十分に発揮するものである。
【０００６】
【実施例】
本考案を添付図面でその実施例を示せば、図は自転車の車輪の一部分をカットして示したもので、リム１とその側面２、及びこれに添付した反射テープ３と、一部分をカットして示したタイヤ４並びにスポーク５で構成した。　車輪全体についての図面については同様なので省略した。
【図面の簡単な説明】
【図１】本考案の一部分をカットした斜視図である。
【符号の説明】
１　　　　　　　リム
２　　　　　　　リムの側面
３　　　　　　　反射テープ
４　　　　　　　タイヤ
５　　　　　　　スポーク
【図１】
0003098654.tif 000003
(57)【要約】【課題】本考案は自転車で出かけた際、少なくなったエアーでそのまま利用しているとタイヤの損傷、パンクにつながる。こうした際にいつでもどこでも利用できるよう、自転車に自分自身で常備することが出来、かつ緊急時にすぐに使えるように収納・着脱を簡単に出来るものの提供を目的とする。【解決手段】本考案はシートチューブ内に収納出来かつシートピーラーが収まるよう軽量・小型のミニポンプ、エアースプレー・瞬間パンク修理剤の容器とそれをシートピラーに簡単に止めておくことが出来るバネフックと結束の一体構造を特徴とする。【選択図】図４
0003098680.tif 000002
【実用新案登録請求の範囲】
【請求項１】
自転車のシートチューブ内に収納可能な小型で細いミニエアーポンプ、エアースプレー、瞬間パンク修理材などの本体とこれを結束しかつシートピラーに簡単に着脱できるバネフックが一体となつた自転車用シートチューブ収納式小型空気入れ。
【考案の詳細な説明】
【０００１】
【考案の属する技術分野】
本考案は、主に自転車シートチューブ内に収納可能な小型で軽量なエアーポンプ、エアースプレー、瞬間パンク修理材などの本体と一体に結束された着脱フックに関するもの。
【０００２】
【従来の技術】
現在、自転車シートチューブに後から自分自身で手軽にいつでも装備・着脱することの出来る空気入れミニポンプ・エアースプレー、瞬間パンク修理剤は従来なく、非常時にすぐ使用出来る自転車に常備するものがないのが現状。
【０００３】
【考案が解決しようとする課題】
本考案は自転車で出かけた際、少なくなったエアーでそのまま利用しているとタイヤの損傷、パンクにつながる。こうした際にいつでもどこでも利用できるよう、自転車に自分自身で常備することが出来、かつ緊急時にすぐに使えるように収納・着脱を簡単に出来るものの提供を目的とする。
【０００４】
【課題を解決するための手段】
本考案はシートチューブ内に収納出来かつシートピラーが収まるよう軽量・小型のミニポンプ、エアースプレー・瞬間パンク修理剤の容器とそれをシートピラーに簡単に着脱することが出来るフックと結束の一体構造を特徴とする。
【０００５】
【考案の実施の形態】
以下、図に示す実施の形態に基ずいて説明する
小型ポンプ図１、エアースプレー・瞬間パンク修理剤の容器図２等の外形は直径１０ｍｍ〜２４ｍｍ長さ（小型ポンプ収縮時の場合）１５０ｍｍ〜３００ｍｍ程度の大きさでシートチューブ図３−ｂの平均的な内径φ２６ｍｍ長さ４００ｍｍに余裕を持って収納できる、また、小型ポンプ図１の場合は未使用時、ポンプ側（凸側）軸１の内側にバルブ２が収納出来るように工夫することで使用部品を保管。
【０００６】
又、ポンプの握りの尻部分３、スプレー式の場合は蓋部天部分ａそれぞれから長さ１０ｃｍ〜１５ｃｍ程度の結束４を設けその先端に外側に反発する形状のバネフック５を付けシートピラーの内側に引っ掛けておく、これによりバネの反発で外れることなく着脱時にこの結束でシートチューブから引き上げることで本体の取り出しが可能となる。
【０００７】
ミニポンプ図１、エアースプレー、瞬間パンク修理材図２の装着はシートピラーをはずし結束４に付いているバネフック５の片方をシートピラー内側図ｃに押さえながらもう一方を内側に押入れフックを２ｃｍぐらい押し込み偏りを中央にバランスを取って置き、本体をシートチューブｂに入れシートピラーを収める。
【０００８】
使用時は、シートピラーｃを外しフック５を内側に押さえながら引き出し外す。ミニポンプ図１の場合は、握り部分３と中軸１を繋ぐねじ込み７を左方向に回しはずし中軸に内蔵されているバルブ２を取り出しポンプ先端６に装着しタイヤのバルブに装着し使用する。
【０００９】
【考案の効果】
自転車で外出した際のエアー抜けで困った時に自転車に常備されたこの簡易型ミニポンプがいつでも、誰でも簡単に取り出しできる緊急時の簡易的な助けになる。又、外見からは見えない為、盗難の防止にもなる。
【図面の簡単な説明】
【図１】ミニポンプ平面図
【図２】ａはエアースプレー・瞬間パンク修理剤の蓋部
【図３】ｂはシートチューブ　　ｃはシートピラー
【図４】シートチューブへのミニポンプ収納及び、シートピラーへのフック取り付けた図
【符号の説明】
１ミニポンプ中軸．
２バルブ
３ポンプ握り部分
４結束
５バネフック
６ポンプ先端
７ねじ込み部
【図１】
0003098680.tif 000003
【図２】
0003098680.tif 000004
【図３】
0003098680.tif 000005
【図４】
0003098680.tif 000006
(57)【要約】　　　（修正有）【課題】収納袋・工具袋への物の出し入れがスムーズに行えると共に、取付け可能な範囲が広がる安全帯の緩衝体用カバーの提供。【解決手段】緩衝体３を折り畳まず、合成皮革を筒状に縫製し、一部の表面を残して裏面を切除して連結環配置部４を設け、短筒部５と、長筒部６を形成し、短筒部５側裏面の長さ方向に所定長の切り離し部５１と、該切り離し部５１の上下対向位置にスリット５２を設け、該スリットに留め金具５３を挿通し、該留め金具５３を折曲して切り離し部５１の解放を防止するカバー７により、ケースを薄くし、胴ベルトに沿って設けるものである。【選択図】図２
0003098675.tif 000002
【実用新案登録請求の範囲】
【請求項１】
一端を巻取機本体内のフレーム１に取付け、他端を胴ベルトに挿通する連結環２に連結した緩衝体３を、
筒状に縫製し、一部の表面を残して裏面を切除して連結環配置部４を設け、短筒部５と、長筒部６を形成し、短筒部５側裏面の長さ方向に所定長の切り離し部５１と、該切り離し部５１の上下対向位置にスリット５２を設け、該スリットに留め金具５３を挿通し、該留め金具５３を折曲して切り離し部５１の解放を防止して成るカバー７により、前記緩衝体３の縫製部３１を短筒部５で被覆し、緩衝部３２を長筒部６で被覆すると共に、長筒部６内に胴ベルト８を挿通添設したことを特徴とする安全帯の緩衝体用カバー。
【考案の詳細な説明】
【０００１】
【考案の属する技術分野】
本願は高所作業に使用する安全帯に係るものであり、特にはベルト巻取機と胴ベルトとを連結する緩衝体のカバーに関するものである。
【０００２】
【従来の技術】
従来品の一例として、意匠登録第１１７８６３１号公報、特開２００３−７０９２６公報に示されているように、ベルト巻取機の端部に設けた緩衝体は、小さく折畳み合成樹脂製のカバー内に収納したものである。
【０００３】
【考案が解決しようとする課題】
上記合成樹脂製のカバーは、小型であるが、厚みがあり、胴ベルトに挿通し、カバー下部に収納袋・工具袋を設けると、厚みがあるため、袋類への物の出し入れが困難となり、そのためベルト上への収納袋・工具袋の取り付け位置がカバーのない位置に限定されるものであった。
【０００４】
【課題を解決するための手段】
本願では、緩衝体のベルトを折り返さずに、薄く細長い筒状のカバー内に収納し、そして胴ベルトに沿って取付ける。
よって、カバーがベルト上へ突出する量が少なく薄いので、カバー上にかぶせて胴ベルトに設けた収納袋・工具袋への物の出し入れを容易にし、取付け可能な範囲が広くなる。
【０００５】
【実施例】
本願の実施例を詳記すると、
本願は、一端を巻取機本体内のフレーム１に取付け、他端を胴ベルトに挿通する連結環２に連結した緩衝体３を、
合成皮革を筒状に縫製し、一部の表面を残して裏面を切除して連結環配置部４を設け、短筒部５と、長筒部６を形成し、短筒部５側裏面の長さ方向に所定長の切り離し部５１と、該切り離し部５１の上下対向位置にスリット５２を設け、該スリット５２に留め金具５３を挿通し、該留め金具５３を折曲して切り離し部５１の解放を防止するカバー７により、前記緩衝体３の縫製部３１を短筒部５で被覆し、緩衝部３２を長筒部６で被覆すると共に、長筒部６内に胴ベルト８を挿通添設したものである。
なお、本願のカバー表面の裏側にスポンジを縫合し、ソフトな感触を持たせたものである。また、スポンジを縫合したことにより型崩れせず、移動しない。
また、本願は合成皮革を使用しているが、これに限定することなくデニム地やポリエステル・アラミド繊維等の化学繊維布地を使用することも可能である。
【０００６】
本願の緩衝体は、実公昭６０−４１９８３号で開示した、上ベルトと下ベルトの２枚を複数のからみ経糸によって重合製織した緩衝部と、上下ベルトを分離製織した分離部とを交互に連続して製織したベルトであり、分離部と重合部を１ユニットとして切断し、分離部の両端を引っ張ることにより重合部のからみ経糸の引き裂き解離によって、衝撃荷重を吸収緩和するものである。
以上の分離部間に別体の細幅織りベルトにより連結し、高荷重が加わって重合部のからみ経糸が引き裂き解離し、上下ベルトが離れた最悪状態時には、この別体のバイパスベルト３３で荷重を受け持つものである。
【０００７】
上記の分離部の一端を巻取機側のフレームに取付け、他端をベルト側の連結環に連結するものである。よって、落下した場合、巻取機に収納された織ロープが引き出され、巻取機のケースのベルト挿通環が破断し、胴ベルトより離れ、さらに上記緩衝体の重合部が解離し、衝撃荷重を吸収緩和し、胴ベルトに挿通した連結環によって、吊り下げられ、墜落を免れるものである。
【０００８】
【考案の効果】
以上のように本願を採用することにより、収納袋・工具袋への物の出し入れがスムーズに行えると共に、取付け可能な範囲が広がるものである。
本願のカバーは、合成皮革等を筒状に縫製するものであり、金型等が不要で低コストに製作できる。
【図面の簡単な説明】
【図１】本願カバーの正面図。
【図２】本願カバーの背面側斜視図。
【図３】本願カバーの胴ベルト挿通状態の正面図。
【図４】本願カバーの胴ベルト挿通状態の一部切欠したところの平面図。
【図５】緩衝体部分の展開斜視図。
【図６】従来品の緩衝体部分の平面図。
【符号の説明】
１　　フレーム
２　　連結環
３　　緩衝体
４　　連結環配置部
５　　短筒部
６　　長筒部
７　　カバー
８　　胴ベルト
３１　　縫製部
３２　　緩衝部
３３　　バイパスベルト
５１　　切り離し部
５２　　スリット
５３　　留め金具
【図１】
0003098675.tif 000003
【図２】
0003098675.tif 000004
【図３】
0003098675.tif 000005
【図４】
0003098675.tif 000006
【図５】
0003098675.tif 000007
【図６】
0003098675.tif 000008